(57)【要約】【課題】表面シートを非金属の軽量な材料から形成して全体が軽量となると共に、非金属の表面シートでありながら、内部の断熱材の損傷を防ぐことができ、断熱力を一定に保つことができる自動販売機の断熱パネルを提供することを目的とする。【解決手段】所定間隔をもって平行に配設される２枚の矩形状の表面シート４，４と、表面シート４，４の各辺24, 24に沿って介装される縁部材20, 21と、縁部材20, 21と表面シート４，４により形成された空間内で固化した発泡断熱材１と、発泡断熱材１と一体となった平板状密封袋にて包囲された真空断熱材３と、を備える。そして、表面シート４が紙から成る。また、真空断熱材３と表面シート４との間に、金属製保護板材５が介設される。【選択図】図１
2007293907.tif 000002
【特許請求の範囲】
【請求項１】
所定間隔をもって平行に配設される２枚の矩形状の表面シート（４)(４）と、該表面シート（４)(４）の各辺（24)(24）に沿って介装される縁部材（20)(21）と、該縁部材（20)(21）と上記表面シート（４)(４）により形成された空間（２）内で固化した発泡断熱材（１）と、該空間（２）内で固化した該発泡断熱材（１）と一体となった平板状密封袋（13）にて包囲された真空断熱材（３）と、を備えた自動販売機の断熱パネルに於て、
２枚の上記表面シート（４)(４）が紙から成り、かつ、各該表面シート（４）と上記真空断熱材（３）との間に、金属製保護板材（５）が介設されていることを特徴とする自動販売機の断熱パネル。
【請求項２】
ネジを螺着するための雌ネジ孔又は下孔を有するネジ受け部材（25）が、上記空間（２）内で上記発泡断熱材（１）と一体となって配設された請求項１記載の自動販売機の断熱パネル。
【発明の詳細な説明】
【技術分野】
【０００１】
本発明は、自動販売機に用いられる断熱パネルに関するものである。
【背景技術】
【０００２】
従来の自動販売機の断熱パネルは、２枚の表面材の間に真空断熱材及び発泡材が介装され、表面シートを紙や樹脂等の非金属の材料にて形成したものが知られている（例えば、特許文献１，２参照）。
【特許文献１】特開２００４−２３４３９２
【特許文献２】特開２００２−１７５５６３
【発明の開示】
【発明が解決しようとする課題】
【０００３】
従来のこの断熱パネルにおいて、紙は線膨張係数が大きいので、表面シートが紙製の場合、自動販売機内部にセットして使用されるうちに温帯と冷帯の温度差により反り易く、破れたり劣化して断熱機能が低下し易い。また、紙は、金属に比べて強度や剛性が遥かに低いため、自動販売機内に断熱パネルをセットするとき、表面シートが隣接する商品収納庫の突起部等に接触して突き破られて、真空断熱材が損傷する虞れがあり、断熱機能が低下してしまう。
また、樹脂も線膨張係数が大きいため、樹脂を用いた表面シートは、紙製の表面シートと同様に、自動販売機内部にて温帯と冷帯の温度差により反り易い。
【０００４】
そこで、本発明は、全体が軽量となると共に、非金属の表面シートでありながら、内部の断熱材の損傷を防ぐことができ、断熱力を一定に保つことができ、さらに、温度差によって反り返りにくい自動販売機の断熱パネルを提供することを目的とする。
【課題を解決するための手段】
【０００５】
上記目的を達成するために、本発明に係る自動販売機の断熱パネルは、所定間隔をもって平行に配設される２枚の矩形状の表面シートと、該表面シートの各辺に沿って介装される縁部材と、該縁部材と上記表面シートにより形成された空間内で固化した発泡断熱材と、該空間内で固化した該発泡断熱材と一体となった平板状密封袋にて包囲された真空断熱材と、を備えた自動販売機の断熱パネルに於て、２枚の上記表面シートが紙から成り、かつ、各該表面シートと上記真空断熱材との間に、金属製保護板材が介設されている。
また、ネジを螺着するための雌ネジ孔又は下孔を有するネジ受け部材が、上記空間内で上記発泡断熱材と一体となって配設されている。
【発明の効果】
【０００６】
本発明は、次のような著大な効果を奏する。
本発明に係る自動販売機の断熱パネルは、発泡断熱材と真空断熱材を間に挟持する２枚の表面シートを紙から形成することにより、表面シートを金属製にする場合に比べて、断熱ボード全体の軽量化を図ることができる。また、表面シートを紙から形成すると外部からの衝撃に対する耐力が小さいが、表面シートと真空断熱材との間に金属製保護板材が介設するので、外部にある突起物の接触等があっても、真空断熱材の損傷を防ぐことができて、断熱機能が保たれる。
また、ネジを螺着するための雌ネジ孔又は下孔を有するネジ受け部材が、空間内で発泡断熱材と一体となって配設されているので、表面シートが非金属であってネジを直接螺着可能な強度を有していなくても、ネジを螺着することができる。よって、断熱パネルを、ネジを用いて、自動販売機内で隣接する商品収納庫等に固定できる。
【発明を実施するための最良の形態】
【０００７】
以下、実施の形態を示す図面に基づき、本発明を詳説する。
【０００８】
図１〜図６は本発明に係る自動販売機の断熱パネルの実施の一形態を示し、この断熱パネルは、所定間隔をもって平行に配設される２枚の矩形状の表面シート４, ４と、表面シート４, ４の各辺24，24に沿って介装される縁部材20，21と、縁部材20，21と表面シート４，４により形成された空間２内で固化した発泡断熱材１と、を備えている。
【０００９】
先ず、表面シート４は、縦長矩形状を有する紙から成る。この紙の表面には樹脂コーティングが積層されて防水処理が行われている。この表面シート４によれば、水分が内部へ浸入することがなく、内部の発泡断熱材１の劣化が防がれ、断熱性能が低下しない。
【００１０】
次に、縁部材20，21について説明する。表面シート４，４の各辺24…のうち手前側の縦辺24ａには、後述するパッキン部材８から成る縁部材20が介装され、かつ、各辺24…のうち奥側の縦辺24ｂと、上部の横辺24ｃと下部の横辺24ｃには、細長四角柱形状の発泡部材９から成る縁部材21が介装される。発泡部材９は、例えば、発泡スチロール・発泡ポリエチレン・発泡ポリウレタン等からなる。つまり、縁部材20と縁部材21…から（シール用）矩形枠が形成されて、２枚の表面シート４，４の間で周縁部に沿って挟持される。なお、パッキン部材８は、ゴム又はプラスチックから２色同時成形によって長辺状の硬質辺部28・軟質辺部29が一体となって形成されたものであり（図４，図５参照）、このうち硬質辺部28が、表面シート４，４の手前側の辺24ａ，24ａに介装（挟持）され、かつ、軟質辺部29は、該縦辺24ａ，24ａから手前側に突出する。軟質辺部29は縦長の薄肉筒状に形成されている。この軟質辺部29は、自動販売機内にセット後に、閉められる前扉の後ろ面に密着して、自動販売機内の横方向の温度の移動を防ぐ。
【００１１】
また、３は平板状の真空断熱材であり、空間２内で固化した発泡断熱材１と一体となって空間２内に配設される。真空断熱材３は、平板状断熱芯材23と、断熱芯材23を真空状として密封して内包する密封袋13と、を有する。断熱芯材23はグラスウールや発泡ポリウレタン等の全体に連続気泡が形成された多孔質材料である。また、密封袋13は、アルミニウム蒸着ＰＥＴとアルミニウム箔とが積層され、また所望により、ナイロンや高密度ポリエチレン等がさらに積層された多層構造を有する。断熱芯材23を密封袋13内部に密封する際に真空引きをすることによって、内部が真空状態に保持される。
発泡断熱材１は、樹脂液が発泡して固化した発泡ポリウレタン等の断熱材である。
そして、真空断熱材３は、空間２内の下寄りの位置において、縁部材20，21と一定間隔をもって配設されて、発泡断熱材１に包囲された状態で一体になっている。
【００１２】
かつ、各表面シート４と真空断熱材３との間に、金属製保護板材５が介設されている（図３参照）。上述のように、表面シート４が紙から形成されることから外部からの衝撃や接触に対する強度が低いために、保護板材５によって真空断熱材３を保護する。保護板材５は、真空断熱材３よりも広い矩形状の面を有し、保護板材５は、その外側面の全部にわたって表面シート４の内側面14に当接し、かつ、その内側面が真空断熱材３の面３ａの全部にわたって接触している。このように、真空断熱材３は、その両面３ａ，３ａの全範囲にわたって、２枚の保護板材５，５に保護されており、断熱ボードが外部から衝撃を受けても、真空断熱材３は損傷せず断熱機能が低下しない。
【００１３】
また、ネジを螺着するための雌ネジ孔又は下孔（以下、「雌ネジ孔等」という。）を有するネジ受け部材25が、空間２内で発泡断熱材１と一体となって配設されている。ネジ受け部材25はプラスチック等を直方体状に形成し、かつ、雌ネジ孔等を貫設したものである。ネジ受け部材25は、樹脂液を注入前の空間２内（の４隅近傍等）において、雌ネジ孔等が表面シート４，４の内側面14，14に開口するように配設されて、両面全部にわたって表面シート４，４の内側面14，14に接触しており、空間２内に注入された樹脂液が固化した発泡断熱材１と一体となる。断熱パネルを自動販売機内にセットして隣接する商品収納庫等に固定する場合に、ネジを、表面シート４に差しつつネジ受け部材25の雌ネジ孔等に螺着する。
【００１４】
また、図示省略するが、断熱パネルの製造方法（手順）について説明する。先ず、２枚の矩形状の表面シート４, ４を所定間隔をもって平行に配設し、表面シート４, ４間に、真空断熱材３を挟んだ保護板材５，５と、ネジ受け部材25とを挟んで内側面14，14に接触させ、かつ、表面シート４, ４の各辺24…，24…に沿って縁部材20，21を介装して、内部空間２を有する平板状の中間体を形成する。そして、この箱体を発泡治具内にセットしたものをプレス装置で上下からプレスして、縁部材21に貫孔してある注入孔にノズルを差込み、空間２内に樹脂液を注入して発泡させて該内部空間２内に発泡樹脂を充填する。そして、樹脂液が固化して発泡断熱材１になったら治具から取り出して使用する。このように、パッキン部材８も治具内で一体発泡する成形（クローズ成形）によって、樹脂液の注入・固化と共にパッキン部材８を一体にすることができるので、押出成形と違い、パッキン部材８を後付けする手間が省かれコスト低減を図ることができる。なお、本発明は、図示の上述の実施の形態以外に設計変更自由であって、ネジ受け部材25を省略して、図１〜図６に於ける保護板材５を大き目に設定して、この保護板材５に雌ネジ孔を有する構成としても良い。
【００１５】
以上のように、本発明に係る自動販売機の断熱パネルは、所定間隔をもって平行に配設される２枚の矩形状の表面シート４，４と、表面シート４，４の各辺24，24に沿って介装される縁部材20，21と、縁部材20，21と表面シート４，４により形成された空間２内で固化した発泡断熱材１と、空間２内で固化した発泡断熱材１と一体となった平板状密封袋13にて包囲された真空断熱材３と、を備え、２枚の表面シート４，４が紙から成り、かつ、各表面シート４と真空断熱材３との間に、金属製保護板材５が介設されているので、表面シートを金属製にする場合に比べて、断熱ボード全体の軽量化を図ることができる。また、表面シート４は紙から形成されているため、外部から衝撃を受けて破れやすいが、表面シート４と真空断熱材３との間に金属製保護板材５が介設されるので、外部にある突起物の接触等があっても真空断熱材３の損傷を防ぐことができて、断熱機能が保たれる。
【００１６】
また、ネジを螺着するための雌ネジ孔又は下孔を有するネジ受け部材25が、空間２内で発泡断熱材１と一体となって配設されているので、表面シート４が非金属（紙）であってネジを直接螺着可能な強度を有していなくても、ネジを螺着することができる。よって、断熱パネルを、ネジを用いて、自動販売機内で隣接する商品収納庫等に固定できる。
【図面の簡単な説明】
【００１７】
【図１】本発明に係る自動販売機の断熱パネルの実施の一形態を示す斜視図である。
【図２】要部正面図である。
【図３】図２のＣ−Ｃ断面図である。
【図４】要部拡大正面図である。
【図５】図４のＤ−Ｄ断面図である。
【図６】図４のＥ−Ｅ断面図である。
【符号の説明】
【００１８】
１  発泡断熱材
２  空間
３  真空断熱材
３ａ  面
４  表面シート
５  保護板材
13  密封袋
14  内側面
20  縁部材
21  縁部材
24  辺
25  ネジ受け部材
【図１】
2007293907.tif 000003
【図２】
2007293907.tif 000004
【図３】
2007293907.tif 000005
【図４】
2007293907.tif 000006
【図５】
2007293907.tif 000007
【図６】
2007293907.tif 000008